(57)【特許請求の範囲】
【請求項１】
最終的に製造されるべき樹脂モデル（４２）の外部輪郭に合致する内部輪郭を内側に形成した外型（１２）と、この外型（１２）における内部輪郭よりも一回り小さな外部輪郭を有し、該外型（１２）の内部に同心的に挿入した際に前記小さな外部輪郭と前記内部輪郭との間に所要の中空部を画成し得る内型（２０）とからなり、前記中空部に樹脂を注入した後に硬化させることで所要形状の樹脂モデルを製造する方法において、
旋盤の回転軸に装着可能な円板状の台座（１４）に前記樹脂モデル（４２）と同じ外形を有する第１原形雄型（Ａ）を載置し、この第１原形雄型（Ａ）に流動性の型材料を付与すると共に、該型材料を前記台座（１４）の表面周縁部に形成した適宜数の第１凹部（１４ａ）にも付与し、
固化した後の型材料から前記第１原形雄型（Ａ）を除去することにより、前記第１凹部（１４ａ）に対応する第１凸部（１２ａ）が下面に一体成形された前記外型（１２）を製造し、
同じく前記円板状の台座（１４）に前記第１原形雄型（Ａ）より一回り小さな外形を有する第２原形雄型（Ｂ）を載置し、該第２原形雄型（Ｂ）に流動性の型材料を付与すると共に、該型材料を台座周縁部における前記第１凹部（１４ａ）にも付与し、  固化した後の型材料から前記第２原形雄型（Ｂ）を除去することにより、前記第１凹部（１４ａ）に対応する第２凸部（３４ａ）が下面に一体成形された原形雌型（３４）を製造し、
更に前記原形雌型（３４）に流動性の型材料を付与すると共に、該型材料を該原形雌型（３４）に成形した前記第２凸部（３４ａ）にも付与し、
固化した後の型材料から前記原形雌型（３４）を除去することにより、前記第２凸部（３４ａ）に対応する第２凹部（２０ａ）が上面に一体成形された前記内型（２０）を製造し、
前記外型（１２）の内部に前記内型（２０）を同心的に挿入するに際して、該内型（２０）に成形した前記第２凹部（２０ａ）を該外型（１２）に成形した前記第１凸部（１２ａ）に対応的に合致させることにより、これら外型（１２）および内型（２０）の正確な位置決めを確保した状態で前記樹脂の注入を行なうようにした
ことを特徴とする樹脂モデルの製造方法。
【請求項２】
旋盤の回転軸に装着可能な円板状の台座（１４）と、この台座（１４）の表面周縁部に形成した適宜数の凹部（１４ａ）とからなり、
前記台座（１４）に載置した第１原形雄型（Ａ）に流動性の型材料を付与して固化させるに際して、該型材料を台座周縁部の前記凹部（１４ａ）にも付与し、
固化した後の型材料から前記第１原形雄型（Ａ）を除去することにより、前記凹部（１４ａ）との対応部である下面に凸部（１２ａ）が一体成形された外型（１２）を製造し得るよう構成した
ことを特徴とする型製造用治具。
【請求項３】
旋盤の回転軸に装着可能な円板状の台座（１４）と、この台座（１４）の表面周縁部に形成した適宜数の第１凹部（１４ａ）とからなり、
前記台座（１４）に載置した第２原形雄型（Ｂ）に流動性の型材料を付与するに際して、該型材料を台座周縁部の前記第１凹部（１４ａ）にも付与し、
固化した後の型材料から前記第２原形雄型（Ｂ）を除去することにより、前記第１凹部（１４ａ）との対応部である下面に凸部（３４ａ）が一体成形された原形雌型（３４）を製造し、
この原形雌型（３４）に流動性の型材料を付与するに際して、該型材料を該原形雌型（３４）に成形された前記凸部（３４ａ）にも付与し、
固化した後の型材料から前記原形雌型（３４）を除去することにより、前記凸部（３４ａ）との対応部である上面に第２凹部（２０ａ）が一体成形された内型（２０）を製造し得るよう構成した
ことを特徴とする型製造用治具。
【請求項４】
前記台座（１４）に設けられる凹部（１４ａ）は、例えば台座（１４）の上面周縁部に３箇所形成され、２つの凹部（１４ａ）は隣接的に形成されると共に、他の１つの凹部（１４ａ）は該台座（１４）の中心を挟んで略反対側に形成される請求項２または３記載の型製造用治具。
【請求項５】
前記台座（１４）の中心には先端に向かうにつれて細くなるテーパ状軸体（１６）が立設され、この軸体（１６）には先端から根元に向けて延在する溝部（１６ａ）が少なくとも１つ形成されている請求項２〜４の何れかに記載の型製造用治具。
【請求項６】
前記溝部（１６ａ）が２つ以上あるときは、これらの溝部（１６ａ）は回転対称にならないよう形成される請求項５記載の型製造用治具。
【請求項７】
前記溝部（１６ａ）が２つ以上あるときは、これらの溝部（１６ａ）の軸方向長さを相違させて形成される請求項５記載の型製造用治具。
【請求項８】
前記第１原形雄型（Ａ）および第２原形雄型（Ｂ）を削り出すための硬化性の型材料ブロックを前記台座（１４）に載置するに際して、前記テーパ状軸体（１６）は、該ブロックの垂直中心部に挿通された状態で位置し、これにより該台座（１４）に対する該ブロックの定位置決めが行なわれる請求項２，３および５〜７の何れか記載の型製造用治具。
【発明の詳細な説明】
【０００１】
【発明の属する技術分野】
この発明は、透明感に優れた樹脂モデルを制作するに際して、その外型および内型を所定位置で正確に係合させ得るようにした樹脂モデルの製造方法およびこれに使用する型製造用治具に関するものである。
【０００２】
【従来の技術】
例えば飲料メーカーが新商品を開発したり、既存の商品のイメージの一新を図ったりする場合は、新たなデザインの飲料容器を一般に使用する。殊に容器のデザインは飲料のイメージと販売動向に大きな影響を与えるものであり、その顕著な例として洋酒が挙げられる。このため各メーカーは、市場での売れ行きに大きな影響を与える容器のデザインに多大の関心を寄せている。
【０００３】
このような飲料容器のデザインをメーカーが決定するに際しては、予め複数製作した原寸大の試作モデルを前にして検討が行なわれる。この検討の場で最も重要な点は、容器の新たなデザインを原寸で確認することと、飲料を充填した状態で該容器が実際に如何なる質感を呈するかを観察することである。しかるに試作依頼がなされる飲料容器はその殆どが透明または半透明の瓶容器であるため、実物と同様にガラスを使用して製作した瓶容器を原寸モデルとして使用するのが最も好ましい。しかし試作モデルを製作する毎に金型を作成し、実物同様のガラス容器を製造するのではコストが大幅に嵩むだけでなく、モデル製作に長時間を要することになり、メーカーの要請から大きく逸脱してしまう難点がある。
【０００４】
このため瓶容器の試作においては、アクリル樹脂が一般に使用されている。例えば円筒状容器を製作する際には、該アクリル樹脂ブロックを旋盤にかけて削り出す手段が採用されている。この場合には、瓶の外表面に複雑な装飾を施すことが極めて困難である。また角瓶では、注ぎ口や側面等の各パーツを別体で成型しておき、これらを接着剤等で相互に接合する手段が採られている。しかしながら各パーツを接合した部分に不自然なシーム（パーティションライン）が残存して実物感を損なう点が指摘される。更に何れの場合にしても、複雑な形状の容器を製作するにあたっては、時間と製作コストが多大に嵩むことになる。
【０００５】
そこで前述した欠点を解決したモデルの製造方法として、本件出願人が所有する特許第１９２７０８３号に係る発明「樹脂モデルの製造方法」が存在する。この発明は、所要モデルの外部輪郭が内面に形成される外型と、この外型の内部に挿入されて外型内面との間に所要間隙が付与される内型とからなり、前記間隙中に樹脂を流し込んで所要形状の樹脂モデルを製造する方法において、前記外型および内型の間に形成される間隙中に透明樹脂を流し込んで、これを固化させた後に脱型することにより底部が開口した中空樹脂モデルを製造し、得られた中空樹脂モデルの内面および必要に応じ外面を前記底部開口を介して研磨し、前記中空樹脂モデルの底部開口における底部形成予定部位を除いて離型材を塗布した後、その底部開口近傍を流動状態にある同質の透明樹脂に浸漬して、これを固化させた後引上げることにより前記底部開口に底面を形成し、更に、モデル外面の研磨仕上げをした後、その透明樹脂材質と近い屈折率を有する透明樹脂塗料を中空樹脂モデルの全面に塗布することにより、透明感に優れた中空透明樹脂容器のモデルを製造する方法を内容としている。
【０００６】
【発明が解決しようとする課題】
前述した特許発明に係る「樹脂モデルの製造方法」によれば、試作モデルを製作するうえで、その製造コストを大幅に低減させると共に短期間で製作し得る利点がある。ところで該方法を実施するに際して最も重要なのは、予め所定の工程を経て成形された前記外型および内型を正確に位置決めした状態で樹脂を流し込むことであるが、外型および内型には前記位置決めの手掛りとなるものがないため一般に極めて困難であった。
【０００７】
【発明の目的】
この発明は、前述した従来技術に内在している解決課題に鑑み、これを好適に解決するべく提案されたものであって、試作モデルを成形する外型と内型とを係合させる際に、その位置決めを容易にするための樹脂モデルの製造方法および型製造用治具を提供することを目的とする。
【０００８】
【課題を解決するための手段】
前述した課題を解決し、所期の目的を好適に達成するため本発明に係る樹脂モデルの製造方法は、最終的に製造されるべき樹脂モデルの外部輪郭に合致する内部輪郭を内側に形成した外型と、この外型における内部輪郭よりも一回り小さな外部輪郭を有し、該外型の内部に同心的に挿入した際に前記小さな外部輪郭と前記内部輪郭との間に所要の中空部を画成し得る内型とからなり、前記中空部に樹脂を注入した後に硬化させることで所要形状の樹脂モデルを製造する方法において、
旋盤の回転軸に装着可能な円板状の台座に前記樹脂モデルと同じ外形を有する第１原形雄型を載置し、この第１原形雄型に流動性の型材料を付与すると共に、該型材料を前記台座の表面周縁部に形成した適宜数の第１凹部にも付与し、
固化した後の型材料から前記第１原形雄型を除去することにより、前記第１凹部に対応する第１凸部が下面に一体成形された前記外型を製造し、
同じく前記円板状の台座に前記第１原形雄型より一回り小さな外形を有する第２原形雄型を載置し、該第２原形雄型に流動性の型材料を付与すると共に、該型材料を台座周縁部における前記第１凹部にも付与し、
固化した後の型材料から前記第２原形雄型を除去することにより、前記第１凹部に対応する第２凸部が下面に一体成形された原形雌型を製造し、
更に前記原形雌型に流動性の型材料を付与すると共に、該型材料を該原形雌型に成形した前記第２凸部にも付与し、
固化した後の型材料から前記原形雌型を除去することにより、前記第２凸部に対応する第２凹部が上面に一体成形された前記内型を製造し、
前記外型の内部に前記内型を同心的に挿入するに際して、該内型に成形した前記第２凹部を該外型に成形した前記第１凸部に対応的に合致させることにより、これら外型および内型の正確な位置決めを確保した状態で前記樹脂の注入を行なうようにしたことを特徴とする。
【０００９】
また前述した課題を解決し、所期の目的を好適に達成するため本発明に係る型製造用治具は、旋盤の回転軸に装着可能な円板状の台座と、この台座の表面周縁部に形成した適宜数の凹部とからなり、
前記台座に載置した第１原形雄型に流動性の型材料を付与して固化させるに際して、該型材料を台座周縁部の前記凹部にも付与し、
固化した後の型材料から前記第１原形雄型を除去することにより、前記凹部との対応部である下面に凸部が一体成形された外型を製造し得るよう構成したことを特徴とする。
【００１０】
また前述した課題を解決し、所期の目的を好適に達成するため本願の別の発明に係る型製造用治具は、旋盤の回転軸に装着可能な円板状の台座と、この台座の表面周縁部に形成した適宜数の第１凹部とからなり、
前記台座に載置した第２原形雄型に流動性の型材料を付与するに際して、該型材料を台座周縁部の前記第１凹部にも付与し、
固化した後の型材料から前記第２原形雄型を除去することにより、前記第１凹部との対応部である下面に凸部が一体成形された原形雌型を製造し、
この原形雌型に流動性の型材料を付与するに際して、該型材料を該原形雌型に成形された前記凸部にも付与し、
固化した後の型材料から前記原形雌型を除去することにより、前記凸部との対応部である上面に第２凹部が一体成形された内型を製造し得るよう構成したことを特徴とする
【００１１】
【発明の実施の形態】
次に、本発明に係る樹脂モデルの製造方法および型製造用治具につき、好適な実施例を挙げて、添付図面を参照しながら以下説明する。図１に示すように、この型製造用治具１０は、旋盤の回転軸に着脱自在に装着可能な円板状の台座１４と、この台座１４の表面周縁部に形成した適宜数の第１凹部１４ａおよび台座１４の中心に立設された軸体１６とから形成されている。
【００１２】
前記台座１４の表面周縁部に沿って凹設された前記第１凹部１４ａは、図２に示す如く、これを平面から観察した場合に台座１４の周縁部分を中心とする半円弧状に成形されたものであって、この第１凹部１４ａが、該台座１４の軸心に立設した軸体１６を挟んで例えば３箇所形成されている。このうち２箇所形成された第１凹部１４ａは、図に示すように、該第１凹部１４ａの直径と略同一距離だけ離間した位置に隣接されると共に、他の一箇所の第１凹部１４ａは、台座１４の中心を挟んで略反対側に形成される。すなわち直径方向に対向する位置から台座１４の周方向に沿って若干偏倚した位置に設定される。なおこの第１凹部１４ａは３箇所設けた例を挙げて説明するが、設置数としてはこれに限定されるものではなく、１箇所から２箇所あるいは４箇所以上設けるようにしてもよい。また仮に２箇所とする場合には、各第１凹部１４ａが台座１４の直径方向から若干偏倚した位置に設定されるのが望ましい。
【００１３】
前記台座１４の上面には所要高さの段部１８が形成されており、この段部１８に、該台座１４の直径よりも充分に小さくかつ台座１４よりも充分に高い寸法に設定された前記軸体１６が立設されている。軸体１６は、図３に示すように、先端に向かうにつれて細くなるテーパ状になっており、該先端から段部１８に対する根元に向けて、断面円弧状を呈するの所要深さの溝部１６ａが、少なくとも一箇所形成されている。すなわち本実施例に係る型製造用治具の場合、該溝部１６ａは軸体１６の周面方向に沿って等間隔に４箇所形成される。また各溝部１６ａが軸体１６の開放上端部で隣接している部分の１箇所には、該溝部１６ａよりも充分に小さい径に設定された円弧状の切欠１６ｂが切欠かれている。なお前述したように、溝部１６ａを２箇所以上設けた際の溝部１６ａは、これらが回転対称にならないようそのうちの少なくとも１つが、軸体１６の長手方向に対して延在する長さを他の溝部１６ａと相違するよう設定される。
【００１４】
前述した構成に係る型製造用治具は、樹脂モデルの製作において図４から図１１に示す工程内で好適に使用される。なおこの場合には、円筒状容器の試作モデルを製作する過程を例に挙げて説明するが、この他に角状や各種のデザイン形状を象った容器を製作する過程においても、該円筒状容器の製作工程と同様に供される。図４および図５は、この試作モデルの成型に供される外型１２を形成する過程を示すと共に、図６から図８では、該外型１２に型合わせされる内型２０の成型過程を示す。先ず外型１２の成型にあたっては、台座１４の上面に形成された前記段部１８の上面全体に、前記軸体１６を軸心として流動性の型材料２２を円筒状に固化状態で設けておく。この型材料２２を設けた台座１４は、例えば上下方向に垂設された旋盤の回転軸２４に対して、これと連設する回転台座２７の上面に所要のチャック機構２６を介して装着される。チャック機構２６から上方に位置する部分には、該回転軸２４の軸心の延長線上に対して、図示しない機構に連設された切削バイト２８が近接離間可能に配設されている。なお前記流動性の型材料２２は、物品成型として従来から使用されている石膏が好適に採用される。
【００１５】
前記回転台座２７の回転に伴って、切削バイト２８が型材料２２の上端部から切込みを開始する。これにより、図４に示すように、最終的に製造されるべき樹脂モデルと同じ外形を有する第１原形雄型Ａが作成されることになる。なおこのとき型材料２２は、その表面に該切削バイト２８が所要圧で接触することにより回転方向に対する抵抗を受けることになる。しかしながら、型材料２２の内部が前記軸体１６の溝部１６ａに介在して固化しており、この部分が所謂軸止めの役目をするために、切削バイト２８からの抵抗を受けて型材料２２（第１原形雄型Ａ）が軸体１６に対して移動すると云った所謂空回りが確実に防止される。また型材料２２の材質である石膏自体は容易に切削加工できるので、この切削が終了して得られた第１原形雄型Ａの外表面に、各種のデザイン模様を刻設するようにしてもよい。
【００１６】
次いで、図５（ａ）に示す如く、前記台座１４に載置された状態の第１原形雄型Ａの外表面全体に、別の流動性型材料であるシリコンゴム３０を付与すると共に、このシリコンゴム３０を該台座１４の表面周縁部に形成した前記第１凹部１４ａにも付与する。そしてシリコンゴム３０が固化した後に、図５（ｂ）に示す如く、該シリコンゴム３０を第１原形雄型Ａから除去させることで、内側に該第１原形雄型Ａの外部輪郭に合致する内部輪郭を内側に形成すると共に、第１凹部１４ａに対応する適宜数の第１凸部１２ａが下面に一体成形された外型１２が得られる。そして型製造用治具１０に残留する第１原形雄型Ａは、該型製造用治具１０の段部１８および軸体１６から離脱しておく。
【００１７】
次に内型２０の製作工程に移行する。この内型２０の製作には、前記第１原形雄型Ａを製作した前記型製造用治具１０がそのまま使用される。すなわち前記外型１２と同様に、該型製造用治具１０を形成する台座１４の段部１８の上面全体に、軸体１６を軸心とする流動性の型材料３２を円筒状に固化状態で設け、前記回転台座２７の上面に前記チャック機構２６を介して装着する。この状態で回転台座２７を回転させることによって前記切削バイト２８が前記軸体１６に近接する方向に移動するが、該切削バイト２８は、前記第１原形雄型Ａの外径寸法に対して、予め設定された試作モデルの厚み分だけ前記軸体１６に近接し、この位置において型材料３２の上端部から切込みを開始する。これにより、図６の想像線で示す第１原形雄型Ａよりも一回り小さな外形を有する第２原形雄型Ｂが得られる。この第２原形雄型Ｂの材質にも、前記石膏が好適に使用される。
【００１８】
前記台座１４に載置された状態の第２原形雄型Ｂの外表面には、図７（ａ）に示すように、別の流動性型材料としての石膏が付与される。この石膏は、前記外型１２の製作で行ったのと同様に、台座１４の表面周縁部から軸体１６の軸心方向に沿って所要高さの円筒体に形成すると共に、該表面周縁部に凹設された前記第１凹部１４ａに石膏を付与する。そして該石膏が充分に固化した後、図７（ｂ）に示す如く、この固化した石膏体を第２原形雄型Ｂから除去させる。これにより、内側に該第２原形雄型Ｂの外部輪郭が型取りされると共に、第１凹部１４ａに対応する第２凸部３４ａが一体成形された原形雌型３４が製造される。
【００１９】
前記原形雌型３４には、開口部を呈する下部を上方に位置させた所謂倒立状態において、第２原形雄型Ｂの外部輪郭が型取りされている内側に、更に別の流動性型材料であるシリコンゴム３６を付与する。この際に該シリコンゴム３６は、図８（ａ）に示すように、原形雌型３４の下部（図では上方）に形成した前記第２凸部３４ａが完全に埋没する位置にまで該シリコンゴム３６が付与される。そしてシリコンゴム３６が固化した後に、図８（ｂ）に示す如く、原形雌型３４をシリコンゴム３６から除去させる。これにより、前記第２原形雄型Ｂと同一寸法に設定された部分と、前記型製造用治具１０の段部１８および台座１４が象られた内型２０が、該シリコンゴム３６によって一体成型される。また、内型２０の下端部となる台座１４を象った部分の表面周縁部には、原形雌型３４の第２凸部３４ａと対応する第２凹部２０ａが、台座１４を象った上面に所定間隔で一体成形される。
【００２０】
前述した工程を経て得られた前記外型１２および内型２０は、図９に示すように、相互に型合わせされる。この外型１２の内部に内型２０を同心的に挿入するに際して、内型２０に成形した前記第２凹部２０ａを、外型１２の下端部に成形した前記第１凸部１２ａに対応的に合致させる。すなわち隣接する２箇所の第１凸部１２ａを、内型２０に設けた２箇所の第２凹部２０ａに係合させると共に、１箇所設けた第１凸部１２ａを、該内型２０に設けた１箇所の第２凹部２０ａに係合させる。これにより両型１２，２０は、そのセンター位置が完全に整列した状態で型合わせされる。
【００２１】
この型合わせされた外型１２および内型２０は、図１０に示す如く、予め設定された試作モデルの厚み分だけ相互に離間した中空部３８が画成される。例えば外型１２の内部に形成された部分の内径を１００ｍｍとし、内型２０の外径寸法を９２ｍｍすると、該中空部３８は４ｍｍの幅に設定されることになる。そしてこれら外型１２と内型２０が正確に位置決めを確保された状態で、中空部３８に対して上方の開口部分から経時硬化性の樹脂４０を注入する。該樹脂４０としては、例えば主剤と硬化剤とを混合することにより、常温で経時的に硬化するエポキシ樹脂が好適に使用される。この場合に、加熱することは必ずしも要件ではないが、加熱することにより一般に知られる如く硬化時間が短縮される。そして透明なエポキシ樹脂が硬化したところで、外型１２と内型２０とを脱型することにより、図１１に示すような底面が開口した中空の瓶型容器の試作モデル４２が得られる。しかる後、この底面開口を所定の工程を介して同じエポキシ樹脂で閉成し、更にバリ取り工程から樹脂塗料の塗布工程を経ることにより、極めて透明度に優れた試作モデルが得られる。
【００２２】
また円筒状容器以外に多角形状の容器や装飾的にデザインされた容器モデルを製作する際においても、石膏によって前記型製造用治具の段部上に所定形状のモデルが製作される。この場合、例えば図１２に示す如く、前記軸体１６の軸心から容器の外表面までの距離が段階的に変化するような正五角形状の容器を製作するには、外型１２と内型２０の位置合わせが円筒状容器よりも複雑になるため、該軸体１６に形成した前記溝部１６ａが、外型１２と内型２０の位置決めに寄与することになる。すなわちこの円筒状容器以外では、型製造用治具１０の上面で成型したシリコンゴムを石膏体から離脱させるに際しては、先に石膏体とシリコンゴムが一体化した状態で型製造用治具１０から離脱される。
【００２３】
そしてこのシリコンゴムから離脱した石膏体は、内型を製作するために再び型製造用治具１０上に載置されて試作モデルの厚み分だけ削成されるが、この場合には各頂点の設置位置が、該モデルが型製造用治具１０から離脱する前と同一箇所に設定されることが必須である。この条件を満たすように、前記溝部１６ａによって石膏体の内側に突設成型された延在溝の長さが異なっているので、型製造用治具から脱型した該石膏体は、この溝部１６ａが合致する位置においてのみ該治具の上面に正しく載置されることになる。すなわち該石膏体からなるモデルは、型製造用治具に対してその方向および取付け高さが常に一定に位置決めされる。また軸体の開放上端面に形成された凹部は、石膏体を軸体に対して完全に係合させる前段階における目安となるものである。
【００２４】
【発明の効果】
以上説明した如く、本発明に係る樹脂モデルの製造方法および型製造用治具によれば、透明なガラス材質の容器その他複雑形状の物品を試作するための検討用モデルを製作するに際して、外型と内型とに位置決め用の凹凸を設け、両者を相互に係合するようにしたことにより、両型の型合わせを所定位置で完全に一致させることができる。
【図面の簡単な説明】
【図１】本発明の好適な実施例に係る樹脂モデルの型製造用治具を示す全体斜視図である。
【図２】実施例に係る樹脂モデルの型製造用治具を示す平面図である。
【図３】実施例に係る樹脂モデルの型製造用治具を示す正面図である。
【図４】実施例に係る樹脂モデルの型製造用治具を使用して外型を製作する工程を示す正面図である。
【図５】実施例に係る樹脂モデルの型製造用治具を使用して外型を製作する工程を示す別の正面図である。
【図６】実施例に係る樹脂モデルの型製造用治具を使用して内型を製作する工程を示す正面図である。
【図７】実施例に係る樹脂モデルの型製造用治具を使用して内型を製作する工程を示す正面図である。
【図８】実施例に係る樹脂モデルの型製造用治具を使用して内型を製作する工程を示す別の正面図である。
【図９】実施例に係る樹脂モデルの型製造用治具を使用して得られた外型および内型を合致させる状態を示す要部斜視図である。
【図１０】実施例に係る樹脂モデルの型製造用治具を使用して得られた外型および内型を合致させた状態を示す正面図および側面図である。
【図１１】実施例に係る樹脂モデルの型製造用治具を使用して得られた外型および内型から成型された樹脂モデルを示す正面図である。
【図１２】実施例に係る樹脂モデルの型製造用治具を使用して多角形状の容器を成型する際の樹脂モデルの位置決め状態を示す平面図である。
【符号の説明】
１２  外型
１２ａ  第１凸部
１４  台座
１４ａ  第１凹部
１６  軸体
１６ａ  溝部
２０  内型
２０ａ  第２凹部
３４  原形雌型
３４ａ  第２凸部
Ａ  第１原形雄型
Ｂ  第２原形雄型
４２  樹脂モデル
【図１】
0003589018.tif 000002
【図２】
0003589018.tif 000003
【図３】
0003589018.tif 000004
【図４】
0003589018.tif 000005
【図５】
0003589018.tif 000006
【図６】
0003589018.tif 000007
【図７】
0003589018.tif 000008
【図８】
0003589018.tif 000009
【図９】
0003589018.tif 000010
【図１０】
0003589018.tif 000011
【図１１】
0003589018.tif 000012
【図１２】
0003589018.tif 000013